(57)【特許請求の範囲】
【請求項１】
その筐体を、表示部と燃料電池部とを備えた表示筐体と、前記燃料電池部で発電された電気を充電するための充電池部及び操作部と制御部とを備えたグリップ筐体とに分割し、
前記表示筐体と前記グリップ筐体とが互いに重なった第１の状態と、前記表示筐体と前記グリップ筐体との互いの一端が連結された第２の状態とを取り得るように、前記表示筐体と前記グリップ筐体とを連結部を介して連結し、
前記表示筐体は、前記燃料電池部に燃料を供給するためのボンベを収納するボンベ収納部と、前記燃料電池部の発電時に発生する水分を排気する排気口を備え、
前記ボンベ収納部は、前記表示筐体の側面に配置され、
前記排気口は、前記第１の状態及び前記第２の状態にかかわらず常に露出する筐体面に配置され、
前記連結部は、前記筐体の形態の変化を検知する切替スイッチを備え、
前記制御部は、前記切替スイッチが、前記筐体の形態が前記第１の状態であると検知すると前記燃料電池部による発電を停止し、前記筐体の形態が前記第２の状態であると検知すると前記燃料電池による発電を行うように制御することを特徴とする携帯電話機。
【請求項２】
前記請求項１記載の携帯電話機において、
前記排気口は、前記表示筐体の両側面に形成された排気穴と、前記筐体面に形成された排気穴とを備え、
前記筐体面に形成された排気穴は、前記筐体面の上方に片寄って配置されていることを特徴とする携帯電話機。
【請求項３】
前記請求項１または２記載の携帯電話機において、
前記連結部は、前記グリップ筐体と前記表示筐体を折りたたみ可能に連結する構造を備え、
前記表示筐体は、前記第１の状態で隠蔽され、前記第２の状態で露出する配置面に配置された表示画面部を備え、
前記グリップ筐体は、前記第１の状態で隠蔽され、前記第２の状態で露出する配置面に配置された操作部を備え、
前記操作部は、文字や数値を入力するためのテンキー部と、カーソル移動キーや機能キーを備えたファンクションキー部とから構成され、
前記２つの配置面は、前記連結部が配置される一端と対向する他の一端側にスピーカ部とマイク部が分けて配置されることを特徴とする携帯電話機。
【請求項４】
前記請求項１または２記載の携帯電話機において、
前記連結部は、前記グリップ筐体と前記表示筐体をスライド可能に連結する構造を備え、
前記表示筐体は、スライドの如何にかかわらず露出する配置面に配置された表示画面部を備え、
前記グリップ筐体は、前記第１の状態で隠蔽され、前記第２の状態で露出する配置面に配置された操作部を備え、
前記操作部は、少なくとも文字や数値を入力するためのテンキー部を含んで構成され、
前記２つの配置面は、前記連結部が配置される一端と対向する他の一端側にスピーカ部とマイク部が分けて配置されることを特徴とする携帯電話機。
【発明の詳細な説明】
【技術分野】
【０００１】
本発明は燃料電池を備えた携帯電話機に関する。
【背景技術】
【０００２】
近年、携帯電話機は身近な存在として生活になくてはならない存在となっている。これらの携帯電話機は充電池を内蔵しており、充電時には充電器にセットして繰り返し充電可能である。しかしながら、このような充電器では充電忘れがしばしば起こってしまう。このため、充電を忘れた携帯電話機に充電可能な使い捨ての電池が販売されている。また、携帯電話を折りたたみ可能とし、折りたたんだ状態では主表示部を非表示とし、開いた状態では表示することで節電を行うものが主流となっている。
【０００３】
一方、繰り返し充電可能な電池として、燃料電池が環境にやさしいとして脚光を浴びている。この燃料電池と燃料タンクを内蔵し、この燃料タンクにメタノールなどの燃料を充填する携帯電話機も提案されている。また、燃料電池と二次電池の双方を本体内に設け、通話時は燃料電池で駆動し、待機時は二次電池で駆動する携帯電話機も提案されている。
【０００４】
【特許文献１】特開２００５−２１６６４４号公報
【０００５】
【特許文献２】特開２００４−２４７９９５号公報
【発明の開示】
【発明が解決しようとする課題】
【０００６】
前記従来例によれば、充電に際し、メタノールなどの燃料を補給することで、簡単に充電を行うことができる。しかし、燃料電池は発電時に水分が発生する課題がある。このため、常に携帯して使用される携帯電話機では、携帯時に燃料電池を駆動させると、発電時に発生した水分が周囲に発散してしまうことになる。したがって、携帯電話機を収納するポケットやカバンなどが湿気をおびてしまう課題がある。
【０００７】
そこで、この発明の目的とするところは、携帯時と使用時の変化に対応して燃料電池の発電を制御する携帯性に優れた携帯電話機を提供することにある。
【課題を解決するための手段】
【０００８】
前記目的を達成するために、本発明に係る携帯電話機では、筐体を、使用時と携帯時に変化可能な構造とし、携帯時には燃料電池の発電を停止し、使用時には燃料電池を駆動して発電を行うようににする。
【０００９】
具体的には、その筐体を、表示部と燃料電池部とを備えた表示筐体と、前記燃料電池部で発電された電気を充電するための充電池部及び操作部と制御部とを備えたグリップ筐体とに分割し、前記表示筐体と前記グリップ筐体とが互いに重なった第１の状態と、前記表示筐体と前記グリップ筐体との互いの一端が連結された第２の状態とを取り得るように、前記表示筐体と前記グリップ筐体とを連結部を介して連結し、前記表示筐体は、前記燃料電池部に燃料を供給するためのボンベを収納するボンベ収納部と、前記燃料電池部の発電時に発生する水分を排気する排気口を備え、前記ボンベ収納部は、前記表示筐体の側面に配置され、前記排気口は、前記第１の状態及び前記第２の状態にかかわらず常に露出する筐体面に配置され、前記連結部は、前記筐体の形態の変化を検知する切替スイッチを備え、前記制御部は、前記切替スイッチが、前記筐体の形態が前記第１の状態であると検知すると前記燃料電池部による発電を停止し、前記筐体の形態が前記第２の状態であると検知すると前記燃料電池による発電を行うように制御する。
【発明の効果】
【００１０】
本発明によれば、携帯時と使用時の変化に対応して燃料電池の発電を制御する携帯性に優れた携帯電話機を提供することができる。
【発明を実施するための最良の形態】
【００１１】
本発明に係る携帯電話機を図１から図１４を参照して詳細に説明する。図１はこの発明に係る携帯電話機の概略構成を示し、図２から図８には第１の実施例を示し、図９は第２の実施例を示し、図１０、図１１は第３の実施例を示し、図１２、図１３が第４の実施例を示し、図１４が第５の実施例を示している。なお、同一の部位や方向などは同一符号を持って示し、重複した説明を省略する。
【００１２】
先ず、図１を参照してこの発明の概略構造を説明する。図１はこの発明に係る携帯電話機の概略構成図である。
【００１３】
本発明に係る携帯電話機の１つの特徴は、その筐体１０を、表示部２０１と燃料電池部２０２を備えた表示筐体（第１の筺体）２００と、前記燃料電池部２０２で発電された電気を充電するための充電池部３０２と操作部３０１とを備えたグリップ筐体（第２の筺体）３００とに分割し、この２つの筐体が互いに重なった第１の状態と、この２つの筐体の一端が連結された第２の状態とを取り得るように、この２つの筐体を連結部４００で連結した構造を備えた点である。
【００１４】
この構造を備えた携帯電話機では、筐体１０を少なくとも２つの筐体に分割し、第１の状態では２つの筐体が互いに重なってコンパクトな形態を取り、第２の状態では、２つの筐体の互いの一端が連結された通話状態を取ることができるので、収納性や携帯性を向上させることができる。そして、電源装置を、燃料電池部２０２と、この燃料電池部２０２で発電された電気を充電する充電池部３０２とに分けて構成し、この２つの電源を２つの筐体に分けて設けているので、第２の状態での重量バランスを向上させている。
【００１５】
また、前記グリップ筐体３００に操作部３０１を設け、表示部２０１を表示筐体２００に配置しているので、グリップ筐体３００を片手で保持した際に、このグリップ筐体３００を保持する片手の親指や他の片手の指で操作部３０１を操作しても、その動作による表示部２０１の視認性を損なうことが軽減される。
【００１６】
そして、何より、この携帯電話機の大きな特徴は、保持されるグリップ筐体３００と離れて配置される表示筐体２００に燃料電池部２０２を備えたので、燃料電池部２０２から発生する水分が保持する片手に触れることを軽減することができる。 
そして、この携帯電話機の更なる大きな特徴は、前記連結部４００に前記筐体１０の形態の変化を検知する内部切替スイッチ５１を備え、コンパクトな形態を取る第１の状態では燃料電池部２２の発電を停止し、通話状態を取る第２の状態では、燃料電池部２０２を駆動させて発電するようにした点である。この実施の形態では、この携帯電話機を統括制御する制御部５０が前記内部切替スイッチ５１の信号をもとに燃料電池部２０２の運転制御を行う。
【００１７】
この実施の形態では、前記筐体１０の変化で燃料電池部２０２の発電を制御する第1の運転モードと、特定のスイッチの運転指示を受け付けて常時、燃料電池部２０２の運転を行う第２の運転モードを備え、これらの運転モードは制御部５０が制御を行う。
【００１８】
なお、この発明に係る携帯電話機は、２つの筐体を連結する連結部４００を工夫することにより、例えば、矢印Ａ１に示すような折り畳みや、矢印Ａ２に示すような回転や、矢印Ａ３に示すようなスライドなどの多様な形態（動き）を備えた携帯電話機を実現することができる。以下、図２から図１４を参照して本発明に係る実施例を説明する。
（第１の実施例）
図２から図８を参照して第１の実施例に係る携帯電話機を説明する。図２は、第１の実施例に係る携帯電話機の外観斜視図である。
【００１９】
先ず、図２を参照して、この携帯電話機の概略構造を説明する。図２において、符号１で総括的に示す携帯電話機の筐体１０は、表示部２０１と燃料電池部２０２を備えた表示筐体２００と、操作部３０１と前記燃料電池部２０２で発電された電気を充電するための充電池部３０２を備えたグリップ筐体３００とに分割して構成され、この２つの筐体が互いに重なった第１の状態と、この２つの筐体の一端が連結された第２の状態を取り得るように、この２つの筐体を折りたたみ連結部４１０で連結した構造を備えている。
【００２０】
即ち、この実施例では、第２の筺体であるグリップ筐体３００と第１の筺体である表示筐体２００とを薄形で偏平な形状とし、それぞれの広い面の長手方向の一端を折りたたみ連結部４１０で折りたたみ可能に連結している。図２は、２つの筐体を開いた第２の状態を示し、この第２の状態から表示筐体２００を矢印Ａ１方向に折りたたむことにより、２つの筐体が重なった第１の状態に変化させることができる。
【００２１】
前記表示筐体２００は、前記第１の状態で隠蔽され、第２の状態では露出する配置面２０３に表示画面部２０４を備えている。一方、前記グリップ筐体３００は、前記第１の状態で隠蔽され、第２の状態では露出する配置面３０３に、文字や数値を入力するためのテンキー部３０５と、カーソル移動キーや機能キーを備えたファンクションキー部３０６とからなる操作部３０４が配置されている。そして、前記２つの配置面２０３、３０３は、前記折りたたみ連結部４１０が配置される一端と対向する他の一端側にスピーカ部２０５とマイク部３０７が分けて配置される。
【００２２】
この構造によれば、第２の状態では、グリップ筐体３００を片手で保持した場合には使用者の耳と口に合った良好な通話姿勢を取ることが可能であり、また、この第２の状態はグリップ筐体を片手で保持した場合、前記表示画面部２０４を見ながら入力操作を行うことができる。
【００２３】
なお、図示していないが、グリップ筺体３００の外周部分に、例えば、薄いゴム板等の滑り止め部材を取り付けるようにしてもよい。これにより、グリップ筺体３００の保持性をより良好にすることができる。
【００２４】
一方、第１の状態では、表示画面部２０４や操作部３０４が２つの筐体で隠蔽／保護されるコンパクトな形態を取ることができるので、携帯性が向上する。
【００２５】
そして、この実施例の１つの特徴は、燃料電池部２０２をグリップ筐体３００から離れた表示筐体２００に備えた点である。しかも、この燃料電池部２０２の発電した電気を充電する充電池部３０２をグリップ筐体３００に配置した点である。この構造によれば、第２の状態での重量バランスや前記表示筐体２００に設けた排気穴２０６から排気される水分が直接グリップ筐体３００を保持する片手に触れることを軽減できるので、発電時に水分が発生するという燃料電池の使用上の欠点を軽減することができる。
【００２６】
次に、図３を参照して、この携帯電話機１の装置構成を説明する。図３は携帯電話機の装置ブロック図である。図３において、この携帯電話機１を統括的に制御する制御部５０にはバスを介して各種装置やスイッチ類が接続される。
【００２７】
内部切替スイッチ５１は、グリップ筐体３００の内部または連結部４００に設けられており、表示筐体２００の開閉動作に対応して信号を発信する。メモリ５２は各種プログラムやデータを格納し、制御部５０がプログラムにしたがってこの携帯電話機１を制御する。高周波回路部５３は通信装置となるものであり、主アンテナ５４とサブアンテナ５５が接続される。この実施の形態では、前記したように、電源部を燃料電池部２０２と充電池部３０２とから構成している。また、前記燃料電池部２０２は、ガバナー５６により制御部５０を介して発電量が制御される。カメラ部５７はカメラ回路部５８を介してバスに接続される。
【００２８】
駆動回路部５９には、着信時に振動を発生させる振動部６０と、メールや通話の着信あるいはアラームなどを光で知らせる状態ランプ部６１が接続されており、制御部５０からの制御に基づいて、これらの動作量と動作パターンが制御される。また、音声回路部６２は、スピーカ部２０５と、音響スピーカ部６７と、マイク部３０７とが接続されている。
【００２９】
更に、この実施の形態では、操作部３０４と任意設定キー部６３とモード切替スイッチ６４などが設けられており、これらの操作スイッチ類により、利用者がこの携帯電話機１を操作することができる。加えて、この実施の形態では、外部接続部６５が設けてあり、コードを介して外部のパーソナルコンピュータなどと接続して、通信やデータ交換を行なうことができる。
【００３０】
次に、図４を参照して、２つの筐体の内蔵される装置の配置構造を説明する。図４は携帯電話機の内部レイアウト図であり、（ａ）図が配置面と対向する後方から見た表示筐体の内部レイアウト図、（ｂ）図が配置面側からみたグリップ筐体の内部レイアウト図を示している。
【００３１】
図４の（ａ）図において、前記表示筐体２００の表示画面部２０４を構成する薄形の表示部２０１の後方には薄形偏平な燃料電池部２０２の発電部２０７が配置され、前記折りたたみ連結部４１０の一端側に前記発電部２０７に燃料を供給するためのボンベ２０８と、このボンベ２０８から発電部２０７に供給される燃料を供給するためのガバナー５６とカメラ部５７が配置され、他の一端にはスピーカ部２０５とサブ表示部６６が対向して配置される。
【００３２】
また、前記ボンベ２０８は、その軸方向に長い円柱形状を備えており、前記ガバナー５６はこのボンベ２０８の長手方向の一端側に配置される。そして、前記ボンベ２０８は、前記ガバナー５６に対して着脱可能に取り付けられる。これにより、ボンベ２０８を交換することにより、充電池部３０２のみ有するものに比べ、充電台に設置することなくいつでも充電が可能である。
なお、この実施の形態では、図２で示すように、ボンベ２０８を表示筺体（第１の筺体）２００の側面から着脱するようになっている。
【００３３】
一方、図４の（ｂ）図において、グリップ筐体３００は、その内部に操作基板６８と制御基板６９と充電池部３０２が前後に積層され、折りたたみ連結部４１０側に音響スピーカ部６７が配置され、他の片側にマイク部３０７が配置される。
【００３４】
なお、２つの筐体の間の信号配線や電源配線は前記折りたたみ連結部４１０を介して配線される。
【００３５】
次に、図５、図６を参照して携帯電話機１の外観構造を説明する。図５は携帯電話機の第2の状態の外観図であり、（ａ）図が背面図、（ｂ）図が左側面図、（ｃ）図が正面図、（ｄ）図が上面図、（ｅ）図が底面図である。図６は携帯電話機の第1の状態の外観図であり、（ａ）図が上面図、（ｂ）図が正面図、（ｃ）図が右側面図を示している。なお、これら図５、図６の各図は図５の（ｃ）図を正面として表記している。
【００３６】
図５、図６において、この実施の形態では、表示筐体２００の両側面及び前記配置面２０３と対向する筐体面２０９に排気穴２０６を設けている。これにより、燃料電池部２０２から発生する水分を排気することができる。また、筐体面２０９に設けた排気穴２０６は上方に片寄って配置され、第２の状態で水分が保持する手に触れないように配慮している。この排気穴２０６の中央にはサブ表示部６６が配置され、筐体面２０９の下方には、カメラ部５７とフラッシュ７０及び状態ランプ部６１が設けられている。
【００３７】
また、この実施の形態では、表示筐体２００に側方から装着可能なボンベ２０８を設けている。このボンベ２０８は筐体面２０９の一部を僅かに隆起させて形成される図示しない収納部に装着される。
【００３８】
一方、グリップ筐体３００の配置面３０３と対向する筐体面３０８には折りたたみ連結部４１０側に音響スピーカ部６７の放音部６７ａが設けられ、他方には着脱可能な充電池部３０２が設けられている。この充電池部３０２は充電端子７１を備え、充電台からの充電も可能である。
【００３９】
次に、図７及び図８を参照して、携帯電話機１の使用状態を説明する。図７は使用状態の参考図である。図８は筐体１０の形態の変化で燃料電池部２０２の運転を制御する動作フロー図である。前記したように、この実施の形態の携帯電話機１は、第２の状態の姿勢を取ると前記グリップ筐体３００を片手で保持することができる。この保持姿勢によれば、グリップ筐体３００は片手の中にスッポリ納まり、表示筐体２００は片手で保持されるグリップ筐体３００の上方に張り出して配置される。このため、保持する片手の指で前記操作部３０１を操作しても、あるいは他の手の指で前記操作部３０１を操作しても、上方に張り出した表示筐体２００の表示画面部２０４の視認性を損なうことが軽減される。しかも、表示筐体２００に設けた排気穴２０６から排出される水分は、矢印Ａ４で示す上方に排出されるので、保持する片手に水分が接触することを軽減することができる。
【００４０】
また、前記ボンベ２０８は、上方に張り出した表示筐体２００の側面から着脱できるので、取扱いが容易である。
【００４１】
図８において、この実施の形態では、前記燃料電池部２０２の運転を制御する複数の運転モードを備えている。この複数の運転モードは、カーソル移動キーや機能キーを備えたファンクションキー部３０６で設定することができる。例えば、機能キーで表示部２０１にメニュー画面を表示し、このメニュー画面から各種設定画面をカーソル移動キーで選択して行うことができる。
【００４２】
この実施の形態では、燃料電池部２０２を内部切替スイッチ５１の信号を介して筐体１０の形態の変化を検知して制御する第１の運転モードと、特定のスイッチを介して燃料電池部２０２のＯＮ、ＯＦＦを制御する第２の運転モードと、充電池部３０２からの電源供給を停止して燃料電池部２０２から直接電源供給を受ける第３の運転モードと、燃料電池部２０２の運転を常時停止させる第４の運転モードを設定し、選択することができる。
【００４３】
図８は、第１の運転モードの動作フローを示している。制御部５０は、第１の運転モードが設定されると、内部切替スイッチ５１を介して筐体１０の形態の変化を監視している（ステップ５００）。制御部５０は、筐体１０が開かれて内部切替スイッチ５１からの信号を受信すると、燃料電池部２０２に発電の指示を行う（ステップ５１０）。燃料電池部２０２は、制御部５０からの発電指示を受け付けると発電を開始し、発電された電力は充電池３０２に供給される。
【００４４】
そして、制御部５０は、内部切替スイッチ５１を介して筐体１０が閉じられたか否かを監視し（ステップ５２０）、閉じられれば、ステップ５４０に移行して発電停止の指示を行い、閉じられなければ発電を継続する。更に、制御部５０は、充電池部３０２の電力状態も監視しており（ステップ５３０）、充電池部３０２が充電しすぎの状態（満杯）に成った場合は燃料電池部２０２の発電を停止する（ステップ５４０）。
【００４５】
このように、この第１の運転モードでは、筐体１０が開閉したか否かにより燃料電池部２０２の運転が制御される。したがって、筐体１０が折りたたまれた第１の状態では、燃料電池部２０２は発電を行わない。このため、この第１の状態の携帯電話機をポケットやカバンなどに収納しても、発電に伴う水分の発散が行われないので携帯性が向上する。
【００４６】
一方、筐体１０が開かれた図７の第２の状態では、表示筐体２００は片手で保持されるグリップ筐体３００の上方に張り出して配置される。このため、表示筐体２００に設けた排気穴２０６から排出される水分は上方に排出されるので、保持する片手に水分が接触することを軽減することができる。
【００４７】
しかも、燃料電池部２０２は第２の状態で自動的に発電される。したがって、電力が特に必要な使用状態で常時電力が供給されるので、充電忘れが軽減される。一方、携帯時の第１の状態では、受信待ち受け状態であるので、表示部２０１を通電させる第２の状態に比べて消費電力量が小さいので、この第１の状態で常時発電しなくとも悪影響を受けることが軽減される。
【００４８】
また、この実施の形態では、前記第１の運転モードの他に、他の運転モードを備えているので、必要により、この運転モードの設定を変更することができる。例えば、充電池部３０２の充電量が特に少なくなっていれば、燃料電池部２０２を常時運転させることが可能な第２の運転モードに設定することもできる。
（第２の実施例）
次に、図９を参照して、この発明に係る第２実施例を説明する。図９は折りたたみ連結部の他の応用例を示す説明図である。
【００４９】
図９において、この前記第１の実施例では、表示筐体２００にボンベ２０８を設ける構造としたが、この第２の実施例では折りたたみ連結部４１０にボンベを配置する構造としている。この場合、折りたたみ連結部４１０の回転中心軸Ｐと、前記ボンベ２０８の中心軸を一致させることにより、ボンベ２０８をコンパクトに筐体１０内に収めることができる。
（ａ）図に示す折りたたみ連結部４１０は、グリップ筐体３００の一端の中央に幅広く形成される第１連結部４１１と、前記表示筐体２００の一端の両側に形成される一対の第２連結部４１２とで構成され、この一対の第２連結部４１２が前記第１連結部４１１の両側に支持される構造としている。この実施例では、前記第１連結部４１１にボンベ２０８を配置する。また、ガバナー５６は第１連結部４１１または、第２連結部４１２の何れか一方に配置する。この場合、ガバナー５６が表示筐体２００に配置されない場合は、折りたたみ連結部４１０の回転軸Ｐを通過するように前記ガバナー５６と発電部２０７とを連結するパイプ（図示省略）を配置する。
（ｂ）図に示す折りたたみ連結部４１０は、（ａ）図の実施例を逆転させた構造である。即ち、この折りたたみ連結部４１０は、表示筐体２００の一端の中央に幅広く形成される第１連結部４１３と、前記グリップ筐体３００の一端の両側に形成される一対の第２連結部４１４とで構成され、この一対の第２連結部４１４が前記第１連結部４１３の両側に支持される構造としている。この実施例では、前記第１連結部４１３にボンベ２０８を配置する。また、ガバナー５６は第１連結部４１３または、第２連結部４１４の何れか一方に配置する。この場合、ガバナー５６がグリップ筐体３００に配置されない場合は、折りたたみ連結部４１０の回転軸Ｐを通過するように前記ガバナー５６と発電部２０７とを連結するパイプ（図示省略）を配置する。
（ｃ）図に示す折りたたみ連結部４１０は、グリップ筐体３００の両側に形成される一対の第１連結部４１５と、前記表示筐体２００の一端の両側に形成される一対の第２連結部４１６とで構成され、この一対の第２連結部４１６が前記第１連結部４１５の両側に支持される構造としている。この実施例では、１対の連結部４１５、４１６の間に、ボンベ２０８の収納空間４１７を構成する。この場合、ガバナー５６を両側の何れか一方の連結部に配置する。
（ｄ）図に示す折りたたみ連結部４１０は、グリップ筐体３００と表示筐体２００の一端の片側に片寄って形成された第１連結部４１８と第２連結部４１９とからなり、他の開放された空間をボンベ収納空間４１７とする。
【００５０】
この発明では、前記４つの実施例に限定さえるものではなく、２つの筐体を回転可能に連結する他の連結部でも応用可能である。
【００５１】
また、上記の実施例ではボンベ２０８を回転軸Ｐ方向から装着することが有効である。この場合、ボンベ２０８の長手方向の両端に連結部がある場合は、挿入側の連結部にボンベ挿入用の開口部を形成し、他の連結部にこの連結部の回転角度や動きを規制するバネなどを配置するようにする。
【００５２】
また、ボンベ２０８の両側に連結部があるものについては、配置面側から挿入するようにしてもよい。この構造によれば、ボンベ２０８を固定するための固定手段を簡素化できる。
（第３の実施例）
次に、図１０と図１１を参照して、本発明に係る第３の実施例を説明する。図１０は第３実施例の使用状態と部分断面図である。図１１は第１の状態における外観図であり、（ａ）が平面図、（ｂ）図が左側面図、（ｃ）図が正面図である。
【００５３】
図１０および図１１において、この第３の実施例は、ボンベ２０８を備えない燃料電池部２０２ａを表示筐体２００に設けたものである。なお、グリップ筐体３００や折りたたみ連結部４１０については、前記第１の実施例と同様のため説明を省略する。
【００５４】
この第３の実施例に係る燃料電池部２０２ａは、着脱可能なボンベ２０８を備えておらず、その代わりに、小容量の固定ボンベまたは燃料を一時的に蓄える一次燃料貯蔵部２５０を備えている。したがって、燃料の供給を外部から受けないと発電を長時間行うことができない。そこで、この実施の形態では、燃料供給用アダプタ２６０を備えている。この燃料供給用アダプタ２６０はタンク部２６１と供給部２６２とから構成される。燃料供給部２６２はスポンジ材などからなり、この燃料供給部２６２を一次燃料貯蔵部２５０の注入口２５１に矢印で示す方向から押し当てることにより、タンク部２６１から供給される燃料がこの燃料供給部２６２を介して一次燃料貯蔵部２５０に供給される。
【００５５】
図１０において、この実施の形態では、表示筐体２００の内部を、配置面２０３側に形成される第１配置空間２５２と、この第１配置空間２５２と対向して形成される第２配置空間２５３と、連結部４００側に形成される第３配置空間２５４に分割している。この内部分割構造によれば、発電時に水分が発生する燃料電池部２０２ａを、表示部２０１を収める第１配置空間２５２と、カメラ部５７やカメラ回路部５８及び燃料電池基板２５５などを収める第３配置空間２５４と分離して、他の水分を嫌う装置への影響を軽減することができる。特に、この第２配置空間２５３は、第２の状態（使用状態）である保持姿勢では携帯電話機の上部位置となるので、その前記効果を向上させることができる。しかも、第１配置空間２５２と第３配置空間２５４は連結部４００側に近いためグリップ筐体３００との配線が容易となる。
【００５６】
図１１において、この実施の形態では、第１の状態において、表示筐体２００の外側に露出する筐体面に複数の小さな穴からなる排気穴２０６ａを備えている。注入口２５１は通常、シャッタ２５１ａで覆われており、燃料を注入する際にはシャッタ２５１ａを上方（カメラ部５７側）へスライドさせて注入口２５１を露出させ、燃料供給用アダプタ２６０を押し当てるようになっている。
この実施の形態では、この排気穴２０６ａの一方側に前記注入口２５１が配置され、これと対向する他方にカメラ部５７が配置される。また、この実施の形態では、第１の状態の通常の保持姿勢では、注入口２５１側を手首側に来る位置で手のひらの中に保持することができる。この保持姿勢によれば、注入口２５１が手首側の位置に置くことができるので、前記燃料供給用アダプタ２６０を無理な姿勢を強いることなく押し付けて燃料を補給することができるし、しかも、この保持姿勢から表示筐体２００を開けば、前記図７に示す使用状態で良好な保持姿勢を取ることができる。
【００５７】
更に、この実施の形態の第１の運転モードでは、燃料を補給する前記第１の状態では、燃料電池部２０２ａの発電が行われず、表示筐体２００を開いて第２の状態に変化させることで発電が行われるので、燃料の補給が良好と成る。
（第４の実施例）
次に、図１２と図１３を参照して、本発明に係る第４の実施例を説明する。図１２は第１の状態の外観図であり、（ａ）が正面図、（ｂ）図が右側面図、（ｃ）図が背面図、（ｄ）図が平面図、（ｅ）図が底面図である。図１３は第２の状態の外観図であり、（ａ）図が左側面図、（ｂ）図が正面図、（ｃ）図が背面図である。
【００５８】
図１２および図１３において、この第４の実施例は、グリップ筐体３００と表示筐体２００をスライド連結部４２０で摺動可能に連結したものである。つまり、この実施の形態では、グリップ筐体２００の配置面３０３と表示筐体２００の配置面２０２に、互いに嵌合して上下方向（図面上）に摺動可能に連結されるスライド連結部４２０が設けられる。
【００５９】
前記配置面３０３にはテンキー部３０５とマイク部３０７が設けられ、筐体配置面３０８には着脱可能な充電池部３０２が設けられる。一方、前記表示筐体２００の筐体面２０９には、表示画面部２０４とスピーカ部２０５とファンクションキー部３０６とが設けられる。
【００６０】
このスライド連結部４２０を採用した携帯電話機では、前記表示筐体２００の筐体面２０９がどの状態でも常に露出しているので、表示画面部２０４とスピーカ部２０５とファンクションキー部３０６が常に露出して設けられる。一方、グリップ筐体３００の配置面３０３は第２の状態でのみ露出するので、必要な時にのみテンキー部３０５とマイク部３０７を露出させることができる。
【００６１】
また、このスライド連結部４２０を採用した携帯電話機でも前記実施例と同様な内部レイアウトを取ることができる。ただ、このスライド連結部４２０の場合、このスライド連結部４２０側はファンクションキー部３０６が配置されるため、前記ボンベ２０８はスピーカ部２０５側に設けると良い。
【００６２】
なお、着脱可能なボンベ２０８を搭載しない燃料電池部２０２ａの場合は、前記ボンベ２０８の装着位置あるいは図１２（ｃ）図の点線で示した位置に注入口２５１を設けると良い。
（第５の実施例）
次に、図１４を参照して、本発明に係る第５の実施例を説明する。図１４は概略構造を示す概念図である。図１４において、この第５の実施例は、グリップ筐体３００の一端と表示筐体２００の一端を互いに重ねて配置し、この重なった配置面３０３に、この配置面３０３と直交する回転軸Ｐを備えた回転連結部４３０で回転可能に連結したものである。
【００６３】
前記配置面３０３にはテンキー部３０５とマイク部３０７が設けられ、筐体配置面３０８には着脱可能な充電池部３０２が設けられる。一方、前記表示筐体２００の筐体面２０９には、表示画面部２０４とスピーカ部２０５とファンクションキー部３０６とが設けられる。
【００６４】
この回転連結部４３０を採用した携帯電話機では、前記表示筐体２００の筐体面２０９がどの状態でも常に露出しているので、表示画面部２０４とスピーカ部２０５とファンクションキー部３０６が常に露出して設けられる。一方、グリップ筐体３００の配置面３０３は第２の状態でのみ露出するので、必要な時にのみテンキー部３０５とマイク部３０７を露出させることができる。
【００６５】
なお、この第５の実施例も、前記第４の実施例と同様なボンベ２０８やガバナー５６はスピーカ部２０５側に配置すると良い。また、燃料電池部２０２ａを採用する場合は、第１実施例と同様な考え方を採用すると良い。
【図面の簡単な説明】
【００６６】
【図１】この発明に係る携帯電話機の概略構成図である。
【図２】第１の実施例に係る携帯電話機の外観斜視図である。
【図３】第１の実施例に係る携帯電話機の装置ブロック図である。
【図４】第１の実施例に係る携帯電話機の内部レイアウト図である。
【図５】第１の実施例に係る携帯電話機の第2の状態の外観図である。
【図６】第１の実施例に係る携帯電話機の第１の状態の外観図である。
【図７】第１の実施例に係る携帯電話機の使用状態図である。
【図８】第１の運転モードにおける制御部の動作フロー図である。
【図９】第２の実施例に係る携帯電話機の折りたたみ連結部の他の応用例を示す説明図である。
【図１０】第３の実施例に係る携帯電話機の使用状態と部分断面図である。
【図１１】第３の実施例に係る携帯電話機の第１の状態の外観図である。
【図１２】第４の実施例に係る携帯電話機の第１の状態の外観図である。
【図１３】第４の実施例に係る携帯電話機の第２の状態の外観図である。
【図１４】第５の実施例に係る携帯電話機の概念図である。
【符号の説明】
【００６７】
１０…筐体、５０…制御部、５１…内部切替スイッチ、５６…ガバナー、２００…表示筐体、２０１…表示部、２０２…燃料電池部、２０２ａ…燃料電池部、２０３…配置面、２０４…表示画面部、２０５…スピーカ部、２０６、２０６ａ…排気穴、２０７…発電部、２０８…ボンベ、２０９…筐体面、２５０…一次燃料貯蔵部、２５１…注入口、２５１ａ…シャッタ、２５２…第1配置空間、２５３…第2配置空間、２５４…第3配置空間、２５５…燃料電池基板、２６０…燃料供給用アダプタ、２６１…タンク部、２６２…供給部、３００…グリップ筐体、３０１…操作部、３０２…充電池部、３０３…配置面、３０４…操作部、３０５…テンキー部、３０６…ファンクションキー部、３０７…マイク部、３０８…筐体面、４００…連結部、４１０…折りたたみ連結部、４１１…第１連結部、４１２…第２連結部、４２０…スライド連結部、４３０…回転連結部。
【図１】
0004529853.tif 000002
【図２】
0004529853.tif 000003
【図３】
0004529853.tif 000004
【図４】
0004529853.tif 000005
【図５】
0004529853.tif 000006
【図６】
0004529853.tif 000007
【図７】
0004529853.tif 000008
【図８】
0004529853.tif 000009
【図９】
0004529853.tif 000010
【図１０】
0004529853.tif 000011
【図１１】
0004529853.tif 000012
【図１２】
0004529853.tif 000013
【図１３】
0004529853.tif 000014
【図１４】
0004529853.tif 000015